(57)【要約】【課題】  ラジオ放送から受信されたオーディオデータの記憶、更新を容易に行い得る「車載用電子装置およびオーディオデータの配信システム」を提供する。【解決手段】  本発明に係る車載用電子装置１は、ＨＤラジオ放送を受信するＨＤラジオ受信部２０と、衛星ラジオ放送を受信する衛星ラジオ受信部３０と、ラジオ放送から得られたオーディオデータの品質を判定する品質判定手段と、ラジオ放送から得られたオーディオデータを記憶部９０に記憶する記憶手段と、オーディオデータを記憶するとき、品質判定手段により判定された品質をオーディオデータに関連付けして記憶部９０に書き込む制御手段とを有する。【選択図】  図１
2010028386.tif 000002
【特許請求の範囲】
【請求項１】
オーディオデータを再生する機能を備えた車載用電子装置であって、
ラジオ放送を受信する受信手段と、
前記受信手段から得られたオーディオデータの品質を判定する品質判定手段と、
前記受信手段から得られたオーディオデータを記憶する記憶手段と、
前記記憶手段にオーディオデータを記憶するとき、前記品質判定手段により判定された品質をオーディオデータに関連付けして前記記憶手段に書き込む制御手段と、
を有する車載用電子装置。
【請求項２】
前記制御手段はさらに、品質が一定基準を満たさないオーディオデータについて、オーディオデータを外部ソースから取得するのに必要な識別情報をオーディオデータに関連付けして前記記憶手段に書き込む、請求項１に記載の車載用電子装置。
【請求項３】
前記制御手段は、前記受信手段から得られたオーディオデータに含まれる前記識別情報を抽出する、請求項２に記載の車載用電子装置。
【請求項４】
車載用電子装置はさらに、取り外し可能な外部メディア機器を含み、前記制御手段は、前記記憶手段に記憶された前記識別情報を前記外部メディア機器のメモリに転送する転送手段を含む、請求項２または３に記載の車載用電子装置。
【請求項５】
前記制御手段は、前記外部メディア機器のメモリに記憶されたオーディオデータにより前記記憶手段に記憶されたオーディオデータを更新する、請求項４に記載の車載用電子装置。
【請求項６】
車載用電子装置はさらに、データの送受を可能とする通信手段を含み、前記制御手段は、品質が一定基準を満たさないオーディオデータについて、前記通信手段を介して外部ソースからオーディオデータを取得し、取得したオーディオデータにより前記記憶手段に記憶されたオーディオデータを更新する、請求項１に記載の車載用電子装置。
【請求項７】
前記制御手段は、前記受信手段から得られたオーディオデータから抽出された識別情報に基づきオーディオデータを外部ソースから取得する、請求項６に記載の車載用電子装置。
【請求項８】
請求項１ないし７いずれか１つに記載の車載用電子装置と、
ネットワークを介してオーディオデータを配信する音楽配信サーバとを有し、
音楽配信サーバは、車載用電子装置から前記識別情報の提示を受けたとき、当該識別情報に対応するオーディオデータを車載用電子装置に配信する、オーディオデータの配信システム。
【請求項９】
請求項１ないし７いずれか１つに記載の車載用電子装置と、
前記外部メディア機器を接続可能であり、かつデータ通信機能を備えた電子装置と、
ネットワークを介してオーディオデータを配信する音楽配信サーバとを有し、
前記電子装置は、前記外部メディア機器に記憶された識別情報を取得可能であり、
前記音楽配信サーバは、前記電子装置から前記識別情報の提示を受けたとき、当該識別情報に対応するオーディオデータを電子装置に配信する、オーディオデータの配信システム。
【発明の詳細な説明】
【技術分野】
【０００１】
本発明は、車載用電子装置に関し、特に、ラジオ放送で受信したオーディオデータに含まれる識別情報を利用してオーディオデータを更新する方法に関する。
【背景技術】
【０００２】
車載用電子装置は、マルチメディア化に伴い、ＣＤやＤＶＤ等に記録されたコンテンツデータを再生する機能に加え、テレビ放送やラジオ放送を受信したり、ＣＤやラジオ放送などから得られたオーディオデータを記憶装置に記憶するリッピング機能を備えている。さらに車載用電子装置は、ＧＰＳ衛星等を利用したナビゲーション機能や、外部機器またはネットワーク等とデータ通信を行う通信機能を備えるものもある。
【０００３】
米国などでは、従来のアナログ方式のＡＭ／ＦＭラジオ放送に加えて、アナログ信号と同時にデジタル信号を放送することができるハイブリッドデジタルラジオ放送（以下、ＨＤラジオと称す）が開始されている。例えば、ＨＤラジオ放送で受信した楽曲等のオーディオデータは、ＣＤ並みの高音質で視聴することができる。さらに、楽曲のタイトルやアーティストなどの属性データ、電子番組表なども併せて受信することが可能である。
【０００４】
また、ＨＤラジオ放送はアップル社と共同して、「ｉＴｕｎｅ Ｔａｇｇｉｎｇ」等のサービスを開始している。本サービスは、楽曲を識別するソングＩＤが付加されたオーディオデータをデジタル信号にて放送し、受信機側で、ユーザが検索条件を入力することなくソングＩＤを利用して音楽配信サイトから簡単に楽曲を購入することを可能にするものである。
【０００５】
特許文献１は、デジタル放送録画再生装置に関し、放送メディアからコンテンツデータを取得するときに、電波情況などを受信状況観測結果をコンテンツデータと併せてデータメモリに記憶し、コンテンツを録画、録音することができなかったことを説明できるようにしてきる。
【０００６】
【特許文献１】特開２００７−２０１６６５号公報
【発明の開示】
【発明が解決しようとする課題】
【０００７】
車載用電子装置は、マルチメディア化の一環として、ＨＤラジオ放送、衛星ラジオ放送、デジタルテレビ放送などを受信し、それらのコンテンツデータを録音、蓄積することが可能になっている。しかしながら、放送メディアからの録音、蓄積機能は、移動体が故に、１００％の品質で楽曲またはオーディオデータを取得することができないことがある。例えば、自車が電波受信強度の弱い地域やマルチパスの生じるエリアを走行中に、放送メディアからのオーディオデータを記憶すると、その品質が劣悪なものになってしまう。そして、このようなオーディオデータを再生すると、音切れなどの現象が発生してしまう。
【０００８】
本発明は、このような従来の課題を解決し、ラジオ放送から受信されたオーディオデータの記憶、更新を容易に行い得る車載用電子装置およびオーディオデータの配信システムを提供することを目的とする。
【課題を解決するための手段】
【０００９】
本発明に係る車載用電子装置は、ラジオ放送を受信する受信手段と、前記受信手段から得られたオーディオデータの品質を判定する品質判定手段と、前記受信手段から得られたオーディオデータを記憶する記憶手段と、前記記憶手段にオーディオデータを記憶するとき、前記品質判定手段により判定された品質をオーディオデータに関連付けして前記記憶手段に書き込む制御手段とを有する。
【００１０】
好ましくは前記制御手段はさらに、品質が一定基準を満たさないオーディオデータについて、オーディオデータを外部ソースから取得するのに必要な識別情報をオーディオデータに関連付けして前記記憶手段に書き込む。好ましくは、前記制御手段は、前記受信手段から得られたオーディオデータに含まれる前記識別情報を抽出する。識別情報は、例えば、ＩＤタグ情報、楽曲のタイトル、アーティスト、ソングＩＤ等の情報である。
【００１１】
車載用電子装置はさらに、取り外し可能な外部メディア機器を含み、前記制御手段は、前記記憶手段に記憶された前記識別情報を前記外部メディア機器のメモリに転送する転送手段を含むことができる。さらに前記制御手段は、前記外部メディア機器のメモリに記憶されたオーディオデータにより前記記憶手段に記憶されたオーディオデータを更新することができる。
【００１２】
また車載用電子装置はさらに、データの送受を可能とする通信手段を含み、前記制御手段は、品質が一定基準を満たさないオーディオデータについて、前記通信手段を介して外部ソースからオーディオデータを取得し、取得したオーディオデータにより前記記憶手段に記憶されたオーディオデータを更新するようにしてもよい。さらに前記制御手段は、前記受信手段から得られたオーディオデータから抽出された識別情報に基づきオーディオデータを外部ソースから取得することができる。
【００１３】
本発明に係るオーディオデータの配信システムは、上記した車載用電子装置と、ネットワークを介してオーディオデータを配信する音楽配信サーバとを有し、音楽配信サーバは、車載用電子装置から識別情報の提示を受けたとき、当該識別情報に対応するオーディオデータを車載用電子装置に配信する。
【００１４】
さらに本発明に係るオーディオデータ配信システムは、上記した車載用電子装置と、前記外部メディア機器を接続可能であり、かつデータ通信機能を備えた電子装置と、ネットワークを介してオーディオデータを配信する音楽配信サーバとを有し、前記電子装置は、前記外部メディア機器に記憶された識別情報を取得可能であり、前記音楽配信サーバは、前記電子装置から前記識別情報の提示を受けたとき、当該識別情報に対応するオーディオデータを電子装置に配信する。
【発明の効果】
【００１５】
本発明によれば、オーディオデータを記憶するとき、オーディオデータの品質を関連付けして記憶するようにしたので、品質の良くないオーディオデータを峻別し、これを容易に更新することができる。特に、ラジオ放送から取得したオーディオデータの識別情報を利用することで、オーディオデータの更新が容易になる。
【発明を実施するための最良の形態】
【００１６】
以下、本発明の最良の実施の形態について図面を参照して詳細に説明する。本実施の形態では、デジタルラジオ放送、アナログラジオ放送または衛星ラジオ放送等からオーディオデータを受信し、これを再生または記憶する機能を備えた車載用電子装置を例示する。
【実施例】
【００１７】
本実施例に係る車載用電子装置１は、アンテナ１０ａからＨＤラジオ放送を受信するＨＤラジオ受信部２０と、アンテナ１０ｂから衛星ラジオ放送を受信する衛星ラジオ受信部３０と、ＣＤやＤＶＤ等のメディアに記録されたオーディオデータやビデオデータを再生するメディア再生部４０と、オーディオデータやビデオデータの信号処理を行う信号処理部５０と、ディスプレイ６０と、スピーカ７０と、外部インターフェースを介して着脱可能に接続された外部メディア機器８０と、データやプログラムを記憶する記憶部９０と、ユーザからの指示を入力するユーザ入力部１００と、車載用電子装置１を制御する制御部１１０とを含む。
【００１８】
ＨＤラジオ受信部２０は、制御部１１０からの制御信号Ｃｏｎｔに応答して所望の周波数のＨＤラジオ放送を受信し、受信したオーディオデータを信号処理部５０へ出力する。同様に、衛星ラジオ受信部３０は、制御部１１０からの制御信号Ｃｏｎｔに応答して所望の周波数のＨＤラジオ放送を受信し、受信したオーディオデータを信号処理部５０へ出力する。メディア再生部４０は、ＣＤ、ＤＶＤ、半導体メモリ等の媒体に記録されたオーディオデータまたはビデオデータを読出し、これらのデータを信号処理部５０へ出力する。
【００１９】
信号処理部５０は、制御部１１０からの制御信号Ｃｏｎｔによって制御され、入力されたオーディオデータをデコードし、オーディオデータに含まれる楽曲データやその属性データを抽出する。さらに信号処理部５０は、抽出された楽曲データの圧縮を解凍したり、楽曲データをアナログ信号に変換しこれをスピーカ７０へ出力する。また、信号処理部５０は、ビデオデータに関してもディスプレイ６０で表示するために必要な信号処理を行う。
【００２０】
外部メディア機器８０は、好ましくは、オーディオデータ等を記憶するメモリと、メモリに記憶されたオーディオデータを再生する再生部と、車載用オーディオ装置１とデータ通信を可能にするデータ通信部とを備えている。データ通信の手段は、例えば、有線ケーブル、または赤外線またはブルートゥースなどの無線通信を含む。さらに、外部メディア機器８０は、オーディオデータの再生情報やアルバムのジャケット写真を表示する表示部を含んでもよい。
【００２１】
制御部１１０は、例えばマイクロコンピュータから構成され、記憶部９０に格納されたプログラムを実行することにより各部を制御する。図２は、制御部１１０の機能ブロック図である。制御部１１０は、ＨＤラジオ受信部２０または衛星ラジオ受信部３０で受信したオーディオデータから、楽曲のタイトル、アーティスト、ソングＩＤ（楽曲の識別情報であって、例えば音楽配信サイトから楽曲をダウンロードするために用いられる）などのライブラリを作成または更新するライブラリ更新部１１２と、受信したオーディオデータの品質を検出する品質検出部１１４と、検出された品質に基づきオーディオデータの品質を判定する品質判定部１１６と、ＨＤラジオ受信部２０または衛星ラジオ受信部３０で受信したオーディオデータを記憶部９０に記憶するときオーディオデータに関連付けして品質を書き込む品質書込み部１１８と、同様にオーディオデータを記憶するときオーディオデータに関連付けしてソングＩＤを書き込むソングＩＤ書込み部１１９とを含んでいる。
【００２２】
ここで、ＨＤラジオ受信部２０または衛星ラジオ受信部３０によって受信されるオーディオデータについて説明する。図３（ａ）は、オーディオデータに含まれるＩＤ３タグのデータ構造を示している。ＨＤラジオ放送等は、放送局の電子番組表や周波数情報などを含む放送局情報サービス（以下、ＳＩＳと称す）と、現在放送中の番組の内容紹介や放送時間帯情報などを含む番組サービスデータ（以下、ＰＳＤと称す）を含み、ＰＳＤの下層にＩＤ３タグを含んでいる。ＩＤ３タグは、ＭＰ３フォーマットの楽曲に付加される規格化された属性情報であり、この属性情報は、楽曲のタイトル、アーティスト、ソングＩＤ等の識別情報を含んでいる。
【００２３】
ＩＤ３タグは、図３（ａ）に示すように、ヘッダーに相当するＵＦＩＤ(Unique File ID)１４０と、テキスト列からなる所有者識別子１５０と、データを持たないターミネータ１６０と、最大６４バイトデータの識別子とを含んで構成される。
【００２４】
所有者識別子１５０はさらに、３バイトのフレームタイプ１５２と、２バイトのフォーマット１５４と、任意バイトのテキスト列１５６を含み、各データの間には１バイトの空白領域であるデリミッターＤを含む。識別子１７０は、識別データ１７２と任意の拡張領域１７４とを含み、識別データ１７２は、楽曲のタイトル、アーティスト名、ジャンルなどの属性情報に加えてソングＩＤ等を含む。好ましくは、ソングＩＤは、音楽配信サイトから楽曲を購入するときに必要な楽曲に割り当てられた識別データである。
【００２５】
図３（ｂ）は、ＩＤ３タグの一例を示しており、楽曲のタイトルとして[TIT2(Song Title)=”Smooth Operator”]、アーティスト名として[TPE1(Artist)=”Sade”]を含む。また、所有者識別子１５０には、フレームタイプとして［Frame Type=”APC”］を含み、フォーマットとして[Format=”01”(Song ID)]を含み、テキスト列として図示するようなURLアドレスを含む。また、識別子１７０には、ソングＩＤとして、[Song ID=”155657007”]を含む。上記のＵＲＬは、ソングＩＤにより楽曲を購入する音楽配信サイトのアドレスである。
【００２６】
制御部１１０は、ラジオ放送が受信されたとき、信号処理部５０によって解読されたＩＤ３タグに関する情報を受け取る。ライブラリ更新部１１２は、信号処理部５０から受け取ったＩＤ３タグに関する情報に基づき楽曲のタイトル、アーティスト、ソングＩＤのライブラリを記憶部９０に作成および／または更新する。図５は、ライブラリの一例である。同図に示すようにライブラリは、ＩＤ３タグの情報から得られた楽曲のタイトル、アーティストおよびソングＩＤの対応関係を記憶する。特定のラジオ放送では、オーディオデータに予めソングＩＤが紐付けされているが、シリウスなどの衛星ラジオ放送やその他のデジタルラジオ放送では、必ずしも楽曲にソングＩＤが紐付けされているとは限らない。後述するようにソングＩＤを持たないオーディオデータは、ライブラリを参照することで、自身のソングＩＤを見つけることができる。
【００２７】
品質検出部１１４は、ラジオ放送で受信したオーディオデータの品質を検出する。この検出は、好ましくは受信したオーディオデータを記憶部９０に記憶するとき(リッピングするとき)に行われる。移動体では、ラジオ放送の受信状態は必ずしも一様ではなく、自車が、受信強度が弱い地域やマルチパス等を生じる地域を走行すると、受信したオーディオデータの品質が劣化する。
【００２８】
品質検出部１１４は、公知の検出手段を用いてオーディオデータの品質を検出することができる。検出手段として、例えば、ラジオ放送の受信強度の大小、オーディオデータのビットエラーレート、あるいはオーディオデータのＣＮ比（Carrier to Noise Ratio）を用いることができる。これらの検出手段は、単独で用いて良いし、組合せて用いてもよい。
【００２９】
オーディオデータのビットエラーレート（以下ＢＥＲと称す）は、一定時間内に送られるビット（符号）の総数に対する、誤って受信したビットの比率である。ビットエラーレートには、数式１に示すように、受信したエラービットの数を送信されたビットの総数で割ったトランスミッションＢＥＲと、数式２に示すように、受信して誤りを訂正されたビットエラーの数を送信された誤りを訂正されたビットの総数で割ったものであるインフォメーションＢＥＲ（数式２）とがある。
【００３０】
【数１】
2010028386.tif 000003
【００３１】
【数２】
2010028386.tif 000004
【００３２】
また、オーディオデータのＣＮ比は、デジタルオーディオデータとそこに含まれる雑音の比率であり、数値が大きいほど良好な状態といえる。数式３に示すようにＣＮ比は、搬送波の電力を雑音の電力で割った値から算出することができる。品質検出部１１４は、上記した検出手段を用いて受信したオーディオデータの楽曲の品質を検出する。
【００３３】
【数３】
2010028386.tif 000005
【００３４】
さらに品質検出部１１４は、上記の検出方法の他にも、アナログ信号のＳＮ比（Signal to Noise ration）を用いて品質を検出してもよい。ＳＮ比は、アナログ信号とそこに含まれる雑音の比率であり、ＳＮ比が大きいほど品質は良好である。さらに、品質検出部１１４は、上記したデジタルデータのＣＮ比とアナログデータのＳＮ比の両方を検出してもよい。
【００３５】
品質判定部１１６は、品質検出部１１４により検出された品質と、予め決定されたしきい値とを比較し、品質を判定する。例えば、ＢＥＲにより検出された品質を判定する場合、しきい値は、２×１０−４である。しきい値よりも高ければ、品質は良好であり、しきい値よりも低ければ、品質は劣悪と判定する。本例では、品質が良好であることを論理「Ｈ」、品質が劣悪であることを論理「Ｌ」で表す。勿論、品質の判定方法は、上記に限らず、複数のしきい値を用いて、複数レベルの品質を判定してもよい。さらに、品質検出部１１４がＣＮ比とＳＮ比の双方を検出した場合には、品質判定部１１６は、双方の検出結果に基づき品質を判定することができる。
【００３６】
品質書込み部１１８は、受信したオーディオデータを記憶部９０に記憶するとき、品質判定部１１６により判定された品質をオーディオデータに関連付けして書き込む。上記のように品質を２段階で判定した場合には、「Ｈ」または「Ｌ」の品質をオーディオデータに関連して書き込む。
【００３７】
ソングＩＤ書込み部１１９は、受信したオーディオデータを記憶部９０に記憶するとき、当該オーディオデータのソングＩＤを関連付けして記憶部９０に書き込む。受信したオーディオデータにソングＩＤが含まれていない場合には、ライブラリ（図５を参照）を検索し、一致したタイトルおよびアーティストが存在するとき、そのソングＩＤを読み出し、これをオーディオデータに関連付けして書き込む。また、ソングＩＤ書込み部１１９は、品質判定部１１６によって品質が良好または「Ｈ」のオーディオデータについてはソングＩＤを書き込まず、品質が劣悪または「Ｌ」のオーディオデータについてのみソングＩＤを書き込むようにしてもよい。品質が良好であれば、ソングＩＤを用いて音楽配信サイトからオーディオデータをダウンロードまたは購入する必要がないからである。但し、ソングＩＤ書込み部１１９は、品質にかかわりなく、すべてのオーディオデータにソングＩＤを付加してもよい。
【００３８】
次に、本実施例に係る車載用電子装置においてラジオ放送から受信したオーディオデータを記憶部９０に記憶するときの動作を図４のフローチャートを参照して説明する。
【００３９】
まず、ＨＤラジオ受信部２０または衛星ラジオ受信部３０からユーザによって選択された放送局のオーディオデータが受信される（ステップＳ１０１）。受信されたオーディオデータは、信号処理部５０においてデコードされ、スピーカ７０から楽曲が音声出力される。信号処理部５０はまた、オーディオデータから抽出された楽曲の属性であるＩＤ３タグを制御部１１０へ出力し、ライブラリ更新部１１２は、ＩＤ３タグの情報に基づき楽曲のタイトル、アーティスト、ソングＩＤ等を抽出し、記憶部９０のライブラリを更新する(ステップＳ１０２)。
【００４０】
次に、制御部１１０は、受信したオーディオデータを記憶することがユーザによって指示されているか否かを判定する（ステップＳ１０３）。記憶が指示されている場合には、制御部１１０は、信号処理部５０にオーディオデータを記憶部９０に記憶させ（ステップＳ１０４）、さらに品質検出部１１４にオーディオデータの品質を検出させる（ステップＳ１０５）。
【００４１】
次に、品質判定部１１６は、品質検出部１１４の検出結果に基づきオーディオデータの品質を判定する（ステップＳ１０６）。品質は、好ましくは楽曲単位で行われる。
【００４２】
次に、品質書込み部１１８は、判定された品質をオーディオデータに関連付けして記憶部９０に書き込み（ステップＳ１０７）、ソングＩＤ書込み部１１９は、品質が良好であるか否かを判定し（ステップＳ１０８）、品質が良好でないオーディオデータに対してソングＩＤを書込み、品質が良好であるオーディオデータに対してはソングＩＤの書き込みを行わない。こうして、受信したオーディオデータの記憶動作を終了する。なお、受信したオーディオデータにソングＩＤが含まれていないときは、ライブラリを検索し、タイトルおよびアーティストが一致するとき、あるいはタイトルが一致するとき、そのソングＩＤを書き込む。
【００４３】
図６は、記憶部９０に記憶されたオーディオデータベース（ＤＢ）の例である。オーディオＤＢは、受信したオーディオデータを楽曲単位で蓄積したものである。好ましくは、オーディオＤＢには、識別情報、楽曲データ、受信品質、ソングＩＤ、更新情報（例えばフラグ）が含まれる。識別情報は、例えば楽曲のタイトル、アーティスト、アルバム名などである。例えば、先頭のオーディオデータは、識別情報「ID#1」、楽曲「Aud#1」、受信品質「Ｈ」を含むが、受信品質が「Ｈ」であるためソングＩＤは含んでいない。また、オーディオデータの更新情報は何も付加されていない。次のオーディオデータは、識別情報「ID#2」、楽曲「Aud#2」、受信品質「Ｌ」、ソングＩＤ「I002」を含んでいる。更新情報は、論理「Ｌ」であり、オーディオデータは未だ更新されていないことを示している。４番目のオーディオデータの更新情報は、「Ｈ」であり、更新されたことを示している。
【００４４】
次に、オーディオＤＢに含まれる楽曲データの再生について説明する。制御部１１０は、ユーザ入力に応答して、記憶部９０に記憶されたオーディオＤＢを参照して楽曲リストをディスプレイ６０に表示する。楽曲リストは、例えば、楽曲のタイトル、アーティストに加えて、その品質を含ませることができる。品質は、例えばアイコンなどを用いてその良否を表示することができる。ユーザにより、楽曲リストから所望の楽曲が選択されると、制御部１１０は、選択された楽曲データをオーディオＤＢから読み出し、信号処理部５０にこれを再生出力させる。
【００４５】
制御部１１０は、楽曲リストを表示する場合、一定以上の品質を満たしていない楽曲については、外部メディア機器８０にソングＩＤを転送可能であることを通知する。この通知は、テキストまたはアイコンで表示する。この通知に応答してユーザが転送の指示を入力すると、制御部１１０は、一定以上の品質に満たないオーディオデータのソングＩＤを外部メディア機器８０に書き込む。その後、ユーザは、ネットワーク等に接続可能な電子装置（例えば、パーソナルコンピュータ）に外部メディア機器８０を接続し、外部メディア機器８０に記憶されたソングＩＤを利用して音楽配信サイトから該当するオーディオデータをダウンロードし、これを外部メディア機器８０に格納することができる。なお、外部メディア機器８０へのソングＩＤの転送は、自動的に行われるようにしてもよい。さらにソングＩＤに加えて、他の識別情報、例えばタイトルおよびアーティスト名を一緒に転送してもよく、ソングＩＤがない場合には、タイトルおよびアーティスト名を転送する。
【００４６】
また制御部１１０は、外部メディア機器８０が車載用電子装置１に再び接続されたとき、外部メディア機器８０に格納されたオーディオデータによりオーディオＤＢの品質の悪いオーディオデータを更新することができる。外部メディア機器８０のオーディオデータによってオーディオＤＢを更新したとき、制御部１１０は、更新情報のフラグを「Ｈ」にし、品質を削除する（図６の４番目のオーディオデータ）。
【００４７】
次に、本発明の第２の実施例について説明する。第２の実施例では、車載用電子装置１がネットワークにアクセスするための通信手段（例えば、無線ＬＡＮ、ＷｉＦｉ、ＷｉＭａｘなど）を備え、第１の実施例のように外部メディア機器８０を媒介とすることなく直接に音楽配信サイトからソングＩＤに対応するオーディオデータをダウンロードすることを可能にする。
【００４８】
図７は、オーディオＤＢの更新動作を示すフローチャートである。先ず、制御部１１０は、オーディオＤＢの更新が予め決められた更新条件に合致するか否かを判定する（ステップＳ２０１）。更新条件は、例えば、車載用電子装置の電源投入時、オーディオデータの再生時、ラジオ放送受信時、一定の時間間隔、あるいはユーザからの指示があった時、とすることができる。
【００４９】
更新条件に合致した場合、制御部１１０は、オーディオＤＢを検索し、品質が劣悪または「Ｌ」のオーディオデータが含まれているか否かを判定する（ステップＳ２０２）。品質が劣悪のオーディオデータが検出されると、制御部１１０は、ディスプレイ６０にオーディオデータの更新を促す案内を表示する（ステップＳ２０３）。
【００５０】
ユーザから更新を行うべき旨の指示があると、制御部１１０は、ＩＤ３タグの所有者識別子に含まれるＵＲＬ情報、あるいはユーザ入力されたＵＲＬ情報等を参照し、通信手段を介して所望の音楽配信サイトにアクセスする（ステップＳ２０４）。次に、制御部１１０はソングＩＤを提供し、それに応答して音楽配信サイトのサーバは、一致するソングＩＤが存在するか否かを検索する。一致するソングＩＤが見つかったとき、制御部１１０は、そのオーディオデータをダウンロードする（ステップＳ２０５）。
【００５１】
次に、制御部１１０は、ダウンロードしたオーディオデータによりオーディオＤＢの品質の悪いオーディオデータを更新し（ステップＳ２０６）、更新情報のフラグを「Ｈ」に書き換え、品質を削除する。
【００５２】
なお、上記例ではユーザからの指示に応答してオーディオデータをダウンロードするようにしたが、自動的にダウンロードするようにしてもよい。また、上記例ではソングＩＤからオーディオデータを検索してダウンロードするようにしたが、これに限らず、タイトルやアーティストの識別情報からオーディオデータを検索してダウンロードするようにしてもよい。
【００５３】
以上、本発明の好ましい実施の形態について詳述したが、本発明は、特定の実施形態に限定されるものではなく、特許請求の範囲に記載された本発明の要旨の範囲内において、種々の変形・変更が可能である。
【００５４】
例えば、ラジオ放送はＨＤラジオ放送や衛星ラジオ方法に限られず、欧州のＤＡＢ放送（デジタルオーディオブロードキャスティング）やその他のデジタル放送であってもよい。
【００５５】
上記実施例では、オーディオデータに含まれるＩＤ３タグを利用してソングＩＤやタイトル、アーティスト等の識別情報を取得する例を示したが、ＩＤ３タグ以外のデータフォーマットを用いることも可能である。
【図面の簡単な説明】
【００５６】
【図１】本発明の実施例に係る車載用電子装置の構成を示すブロック図である。
【図２】図１に示す車載用電子装置の制御部の機能ブロック図である。
【図３】図３（ａ）は、オーディオデータに含まれるＩＤ３タグのデータ構造を説明する図であり、図３（ｂ）はＩＤ３タグの具体例である。
【図４】ライブラリの一例を示す図である。
【図５】本実施例に係る車載用電子装置において、ラジオ放送から受信したオーディオデータを記憶部に格納する動作フローチャートである。
【図６】本実施例に係るオーディオ楽曲データＤＢの例である。
【図７】本発明の第２の実施例に係るオーディオＤＢの更新動作を説明するフローチャートである。
【符号の説明】
【００５７】
１：車載用電子装置                  １０ａ、１０ｂ：アンテナ
２０：ＨＤラジオ受信部              ３０：衛星ラジオ受信部
４０：メディア再生部                ５０：信号処理部
６０：ディスプレイ                  ７０：スピーカ
８０：外部メディア機器              ９０：記憶部
１１０：ユーザ入力部                １１０：制御部
【図１】
2010028386.tif 000006
【図２】
2010028386.tif 000007
【図３】
2010028386.tif 000008
【図４】
2010028386.tif 000009
【図５】
2010028386.tif 000010
【図６】
2010028386.tif 000011
【図７】
2010028386.tif 000012